【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
ネットワークを介して接続された端末装置に対して、商品の取引に関する電子商取引サイトを提供するサーバ装置であって、
複数商品分の前記商品に関する商品情報を表示する取引画面を前記端末装置の表示部に表示させるための表示データを生成する表示データ生成手段と、
前記端末装置に対して、前記表示データ生成手段で生成された前記表示データを送信する送信手段と、
前記端末装置から、前記取引画面において表示される商品情報に対応する商品のうち取引するものとして選択された商品を識別するための選択商品識別情報を受信する選択商品識別情報受信手段と、
を備え、
前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面における第１表示領域に前記選択済み商品関連情報を表示させる前記表示データを生成する一方、前記取引条件が満たされている場合には、前記選択済み商品関連情報を前記第１表示領域とは異なる前記取引画面の第２表示領域に表示させる前記表示データを生成し、
前記第２表示領域は、前記第１表示領域よりも前記取引画面の下方に位置することを特徴とするサーバ装置。
【請求項２】
ネットワークを介して接続された端末装置に対して、商品の取引に関する電子商取引サイトを提供するサーバ装置であって、
複数商品分の前記商品に関する商品情報を表示する取引画面を前記端末装置の表示部に表示させるための表示データを生成する表示データ生成手段と、
前記端末装置に対して、前記表示データ生成手段で生成された前記表示データを送信する送信手段と、
前記端末装置から、前記取引画面において表示される商品情報に対応する商品のうち取引するものとして選択された商品を識別するための選択商品識別情報を受信する選択商品識別情報受信手段と、
を備え、
前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面において前記選択済み商品関連情報を表示させる前記表示データを生成する一方、前記取引条件が満たされている場合には、前記選択済み商品関連情報を前記取引画面に表示させない前記表示データを生成することを特徴とするサーバ装置。
【請求項３】
請求項１に記載のサーバ装置であって、
前記第１表示領域は、前記取引画面において表示される商品情報より上方であることを特徴とするサーバ装置。
【請求項４】
請求項１に記載のサーバ装置であって、
前記第１表示領域は、前記取引画面において表示される商品情報と画面の上下方向において重なる部分を有することを特徴とするサーバ装置。
【請求項５】
請求項１、請求項３、請求項４の何れか一項に記載のサーバ装置であって、
前記第２表示領域は、前記取引画面において表示される商品情報より下方であることを特徴とするサーバ装置。
【請求項６】
請求項１乃至請求項５の何れか一項に記載のサーバ装置であって、
前記取引条件は、前記選択操作により選択された商品の価格の合計額が、商品の配送料金を無料とする金額として予め定められた送料無料金額に達することにより満たされることを特徴とするサーバ装置。
【請求項７】
請求項６に記載のサーバ装置であって、
前記表示データ生成手段は、前記取引条件を満たさない場合は、前記選択操作により選択された商品の価格の合計額と前記送料無料金額との差額を前記取引画面に表示させ、前記取引条件が満たされた場合には、前記差額を前記取引画面に表示させない前記表示データを生成することを特徴とするサーバ装置。
【請求項８】
請求項１乃至請求項５の何れか一項に記載のサーバ装置であって、
前記取引条件は、前記選択操作により選択された商品の数が、商品の配送料金を無料とする数として予め定められた送料無料数に達することにより満たされることを特徴とするサーバ装置。
【請求項９】
請求項２に記載のサーバ装置であって、
前記表示データ生成手段は、前記取引条件が満たされた場合には、前記選択済み商品関連情報を表示させるための表示操作を検出することにより前記選択済み商品関連情報を表示可能なようにしつつ、前記取引画面に表示させない前記表示データを生成することを特徴とするサーバ装置。
【請求項１０】
請求項１乃至請求項９の何れか一項に記載のサーバ装置であって、
前記選択済み商品関連情報は、前記選択操作により選択された商品の名称、価格、及び当該選択操作により選択された商品の価格の合計額、の少なくとも何れか一つを示す情報であることを特徴とするサーバ装置。
【請求項１１】
請求項１乃至請求項１０の何れか一項に記載のサーバ装置であって、
前記電子商取引サイトは、ネットスーパーサイトであることを特徴とするサーバ装置。
【請求項１２】
ネットワークを介して接続された端末装置に対して、商品の取引に関する電子商取引サイトを提供するサーバ装置であって、
前記端末装置に、
前記サーバ装置から受信した、複数商品分の前記商品に関する商品情報を表示する取引画面を表示部に表示させる表示制御手段、
前記取引画面において表示される商品情報に対応する商品を取引するものとして選択する選択操作を検出する選択操作検出手段、
として機能させる指示データを送信し、
前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、
前記第２表示領域は、前記第１表示領域よりも前記取引画面の下方に位置することを特徴とするサーバ装置。
【請求項１３】
ネットワークを介して接続された端末装置に対して、商品の取引に関する電子商取引サイトを提供するサーバ装置であって、
前記端末装置に、
前記サーバ装置から受信した、複数商品分の前記商品に関する商品情報を表示する取引画面を表示部に表示させる表示制御手段、
前記取引画面において表示される商品情報に対応する商品を取引するものとして選択する選択操作を検出する選択操作検出手段、
として機能させる指示データを送信し、
前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とするサーバ装置。
【請求項１４】
請求項１２に記載のサーバ装置であって、
前記第１表示領域は、前記取引画面において表示される商品情報より上方であることを特徴とするサーバ装置。
【請求項１５】
請求項１２に記載のサーバ装置であって、
前記第１表示領域は、前記取引画面において表示される商品情報と画面の上下方向において重なる部分を有することを特徴とするサーバ装置。
【請求項１６】
請求項１２乃至請求項１５の何れか一項に記載のサーバ装置であって、
前記第２表示領域は、前記取引画面において表示される商品情報より下方であることを特徴とするサーバ装置。
【請求項１７】
請求項１２乃至請求項１６の何れか一項に記載のサーバ装置であって、
前記取引条件は、前記選択操作により選択された商品の価格の合計額が、商品の配送料金を無料とする金額として予め定められた送料無料金額に達することにより満たされることを特徴とするサーバ装置。
【請求項１８】
請求項１７に記載のサーバ装置であって、
前記表示制御手段は、前記取引条件を満たさない場合は、前記選択操作により選択された商品の価格の合計額と前記送料無料金額との差額を前記取引画面に表示し、前記取引条件が満たされた場合には、前記差額を前記取引画面に表示しないことを特徴とするサーバ装置。
【請求項１９】
請求項１２乃至請求項１６の何れか一項に記載のサーバ装置であって、
前記取引条件は、前記選択操作により選択された商品の数が、商品の配送料金を無料とする数として予め定められた送料無料数に達することにより満たされることを特徴とするサーバ装置。
【請求項２０】
請求項１３に記載のサーバ装置であって、
前記表示制御手段は、前記取引条件が満たされた場合には、前記選択済み商品関連情報を表示させるための表示操作を検出することにより前記選択済み商品関連情報を表示可能なようにしつつ、前記取引画面に表示させないことを特徴とするサーバ装置。
【請求項２１】
請求項１２乃至請求項２０の何れか一項に記載のサーバ装置であって、
前記選択済み商品関連情報は、前記選択操作により選択された商品の名称、価格、及び当該選択操作により選択された商品の価格の合計額、の少なくとも何れか一つを示す情報であることを特徴とするサーバ装置。
【請求項２２】
請求項１２乃至請求項２１の何れか一項に記載のサーバ装置であって、
前記電子商取引サイトは、ネットスーパーサイトであることを特徴とするサーバ装置。
【請求項２３】
コンピュータを、
商品の取引に関する電子商取引サイトを提供するサーバ装置にネットワークを介して接続し、前記商品に関する商品情報を複数の商品分受信する受信手段、
前記受信した複数商品分の商品情報を表示する取引画面を表示部に表示させる表示制御手段、
前記取引画面において表示される商品情報に対応する商品を取引するものとして選択する選択操作を検出する選択操作検出手段、
として機能させる商品情報表示プログラムであって、
前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１表示領域とは異なる前記取引画面の第２表示領域に表示させ、
前記第２表示領域は、前記第１表示領域よりも前記取引画面の下方に位置することを特徴とする商品情報表示プログラム。
【請求項２４】
コンピュータを、
商品の取引に関する電子商取引サイトを提供するサーバ装置にネットワークを介して接続し、前記商品に関する商品情報を複数の商品分受信する受信手段、
前記受信した複数商品分の商品情報を表示する取引画面を表示部に表示させる表示制御手段、
前記取引画面において表示される商品情報に対応する商品を取引するものとして選択する選択操作を検出する選択操作検出手段、
として機能させる商品情報表示プログラムであって、
前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする商品情報表示プログラム。
【請求項２５】
コンピュータが、商品の取引に関する電子商取引サイトを提供するサーバ装置にネットワークを介して接続し、前記商品に関する商品情報を複数の商品分受信するステップと、
前記コンピュータが、前記受信した複数商品分の商品情報を表示する取引画面を表示部に表示させるステップと、
前記コンピュータが、前記取引画面において表示される商品情報に対応する商品を取引ものとして選択する選択操作を検出するステップと、
前記コンピュータが、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１表示領域とは異なり且つ前記第１表示領域よりも下方に位置する前記取引画面の第２表示領域に表示させるステップと、
を含むことを特徴とする商品情報表示方法。
【請求項２６】
コンピュータが、商品の取引に関する電子商取引サイトを提供するサーバ装置にネットワークを介して接続し、前記商品に関する商品情報を複数の商品分受信するステップと、
前記コンピュータが、前記受信した複数商品分の商品情報を表示する取引画面を表示部に表示させるステップと、
前記コンピュータが、前記取引画面において表示される商品情報に対応する商品を取引するものとして選択する選択操作を検出するステップと、
前記コンピュータが、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないステップと、
を含むことを特徴とする商品情報表示方法。
【請求項２７】
商品の取引に関する電子商取引サイトを提供するサーバ装置と、前記サーバ装置とネットワークを介して接続される端末装置と、を有する電子商取引システムであって、
前記サーバ装置は、
複数商品分の前記商品に関する商品情報を表示する取引画面を前記端末装置の表示部に表示させるための表示データを生成する表示データ生成手段と、
前記端末装置に対して、前記表示データ生成手段で生成された前記表示データを送信する送信手段と、
前記端末装置から、前記取引画面において表示される商品情報に対応する商品のうち取引するものとして選択された商品を識別するための選択商品識別情報を受信する選択商品識別情報受信手段と、
を備え、
前記端末装置は、
前記送信手段から送信された表示データを受信する表示データ受信手段と、
前記受信された表示データに基づいて、前記取引画面を表示部に表示させる表示制御手段と、
を備え、
前記サーバ装置の前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面における第１表示領域に前記選択済み商品関連情報を表示させる前記表示データを生成する一方、前記取引条件が満たされている場合には、前記選択済み商品関連情報を前記第１表示領域とは異なる前記取引画面の第２表示領域に表示させる前記表示データを生成し、
前記第２表示領域は、前記第１表示領域よりも前記取引画面の下方に位置することを特徴とする電子商取引システム。
【請求項２８】
商品の取引に関する電子商取引サイトを提供するサーバ装置と、前記サーバ装置とネットワークを介して接続される端末装置と、を有する電子商取引システムであって、
前記サーバ装置は、
複数商品分の前記商品に関する商品情報を表示する取引画面を前記端末装置の表示部に表示させるための表示データを生成する表示データ生成手段と、
前記端末装置に対して、前記表示データ生成手段で生成された前記表示データを送信する送信手段と、
前記端末装置から、前記取引画面において表示される商品情報に対応する商品のうち取引するものとして選択された商品を識別するための選択商品識別情報を受信する選択商品識別情報受信手段と、
を備え、
前記端末装置は、
前記送信手段から送信された表示データを受信する表示データ受信手段と、
前記受信された表示データに基づいて、前記取引画面を表示部に表示させる表示制御手段と、
を備え、
前記サーバ装置の前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面において前記選択済み商品関連情報を表示させる前記表示データを生成する一方、前記取引条件が満たされている場合には、前記選択済み商品関連情報を前記取引画面に表示させない前記表示データを生成することを特徴とする電子商取引システム。
【請求項２９】
商品の取引に関する電子商取引サイトを提供するサーバ装置と、前記サーバ装置とネットワークを介して接続される端末装置と、を有する電子商取引システムであって、
前記サーバ装置は、前記端末装置に、
前記サーバ装置から受信した、複数商品分の前記商品に関する商品情報を表示する取引画面を表示部に表示させる表示制御手段、
前記取引画面において表示される商品情報に対応する商品を取引するものとして選択する選択操作を検出する選択操作検出手段、
として機能させる指示データを送信し、
前記端末装置は、
前記サーバ装置から受信した指示データに基づいて、前記表示制御手段、前記選択操作検出手段として機能し、
前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、
前記第２表示領域は、前記第１表示領域よりも前記取引画面の下方に位置することを特徴とする電子商取引システム。
【請求項３０】
商品の取引に関する電子商取引サイトを提供するサーバ装置と、前記サーバ装置とネットワークを介して接続される端末装置と、を有する電子商取引システムであって、
前記サーバ装置は、前記端末装置に、
前記サーバ装置から受信した、複数商品分の前記商品に関する商品情報を表示する取引画面を表示部に表示させる表示制御手段、
前記取引画面において表示される商品情報に対応する商品を取引するものとして選択する選択操作を検出する選択操作検出手段、
として機能させる指示データを送信し、
前記端末装置は、
前記サーバ装置から受信した指示データに基づいて、前記表示制御手段、前記選択操作検出手段として機能し、
前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする電子商取引システム。
【請求項３１】
商品の取引に関する電子商取引サイトを提供するサーバ装置に、ネットワークを介して接続する端末装置であって、
前記サーバ装置から、前記商品に関する商品情報を複数商品分受信する受信手段と、
前記受信した複数商品分の商品情報を表示する取引画面を表示部に表示させる表示制御手段と、
前記取引画面において表示される商品情報に対応する商品を取引するものとして選択する選択操作を検出する選択操作検出手段と、
を備え、
前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、
前記第２表示領域は、前記第１表示領域よりも前記取引画面の下方に位置することを特徴とする端末装置。
【請求項３２】
商品の取引に関する電子商取引サイトを提供するサーバ装置に、ネットワークを介して接続する端末装置であって、
前記サーバ装置から、前記商品に関する商品情報を複数商品分受信する受信手段と、
前記受信した複数商品分の商品情報を表示する取引画面を表示部に表示させる表示制御手段と、
前記取引画面において表示される商品情報に対応する商品を取引するものとして選択する選択操作を検出する選択操作検出手段と、
を備え、
前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする端末装置。
【請求項３３】
コンピュータを、
商品の取引に関する電子商取引サイトを提供するサーバ装置にネットワークを介して接続し、前記商品に関する商品情報を複数の商品分受信する受信手段、
前記受信した複数商品分の商品情報を表示する取引画面を表示部に表示させる表示制御手段、
前記取引画面において表示される商品情報に対応する商品を取引するものとして選択する選択操作を検出する選択操作検出手段、
として機能させる商品情報表示プログラムであって、
前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１表示領域とは異なる前記取引画面の第２表示領域に表示させ、
前記第２表示領域は、前記第１表示領域よりも前記取引画面の下方に位置させる商品情報表示プログラムが記録された記録媒体。
【請求項３４】
コンピュータを、
商品の取引に関する電子商取引サイトを提供するサーバ装置にネットワークを介して接続し、前記商品に関する商品情報を複数の商品分受信する受信手段、
前記受信した複数商品分の商品情報を表示する取引画面を表示部に表示させる表示制御手段、
前記取引画面において表示される商品情報に対応する商品を取引するものとして選択する選択操作を検出する選択操作検出手段、
として機能させる商品情報表示プログラムであって、
前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させない商品情報表示プログラムが記録された記録媒体。
【手続補正２】
【補正対象書類名】明細書
【補正対象項目名】０００６
【補正方法】変更
【補正の内容】
【０００６】
上記課題を解決するために、請求項１に記載の発明は、ネットワークを介して接続された端末装置に対して、商品の取引に関する電子商取引サイトを提供するサーバ装置であって、複数商品分の前記商品に関する商品情報を表示する取引画面を前記端末装置の表示部に表示させるための表示データを生成する表示データ生成手段と、前記端末装置に対して、前記表示データ生成手段で生成された前記表示データを送信する送信手段と、前記端末装置から、前記取引画面において表示される商品情報に対応する商品のうち取引するものとして選択された商品を識別するための選択商品識別情報を受信する選択商品識別情報受信手段と、を備え、前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面における第１表示領域に前記選択済み商品関連情報を表示させる前記表示データを生成する一方、前記取引条件が満たされている場合には、前記選択済み商品関連情報を前記第１表示領域とは異なる前記取引画面の第２表示領域に表示させる前記表示データを生成し、前記第２表示領域は、前記第１表示領域よりも前記取引画面の下方に位置することを特徴とする。
【手続補正３】
【補正対象書類名】明細書
【補正対象項目名】０００９
【補正方法】変更
【補正の内容】
【０００９】
請求項２に記載の発明は、ネットワークを介して接続された端末装置に対して、商品の取引に関する電子商取引サイトを提供するサーバ装置であって、複数商品分の前記商品に関する商品情報を表示する取引画面を前記端末装置の表示部に表示させるための表示データを生成する表示データ生成手段と、前記端末装置に対して、前記表示データ生成手段で生成された前記表示データを送信する送信手段と、前記端末装置から、前記取引画面において表示される商品情報に対応する商品のうち取引するものとして選択された商品を識別するための選択商品識別情報を受信する選択商品識別情報受信手段と、を備え、前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面において前記選択済み商品関連情報を表示させる前記表示データを生成する一方、前記取引条件が満たされている場合には、前記選択済み商品関連情報を前記取引画面に表示させない前記表示データを生成することを特徴とする。
請求項２に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
請求項３に記載の発明は、請求項１に記載のサーバ装置であって、前記第１表示領域は、前記取引画面において表示される商品情報より上方であることを特徴とする。この場合、第１表示領域は商品情報より上方であるため、取引条件を満たさない場合において、選択済み商品関連情報の視認性が向上する。
【手続補正４】
【補正対象書類名】明細書
【補正対象項目名】００１０
【補正方法】変更
【補正の内容】
【００１０】
請求項４に記載の発明は、請求項１に記載のサーバ装置であって、前記第１表示領域は、前記取引画面において表示される商品情報と画面の上下方向において重なる部分を有することを特徴とする。この場合、第１表示領域は商品情報と上下方向において重なるため、取引条件を満たさない場合において、選択済み商品関連情報と商品情報を同時に確認するための視認性が向上する。
【手続補正５】
【補正対象書類名】明細書
【補正対象項目名】００１１
【補正方法】変更
【補正の内容】
【００１１】
請求項５に記載の発明は、請求項１、請求項３、請求項４の何れか一項に記載のサーバ装置であって、前記第２表示領域は、前記取引画面において表示される商品情報より下方であることを特徴とする。この場合、取引条件を満たす場合において、第２表示領域は商品情報より下方に位置するため、選択済み商品関連情報が商品情報を大きく又は多く表示する際の妨げにならない。
【手続補正６】
【補正対象書類名】明細書
【補正対象項目名】００１２
【補正方法】変更
【補正の内容】
【００１２】
請求項６に記載の発明は、請求項１乃至請求項５の何れか一項に記載のサーバ装置であって、前記取引条件は、前記選択操作により選択された商品の価格の合計額が、商品の配送料金を無料とする金額として予め定められた送料無料金額に達することにより満たされることを特徴とする。
【手続補正７】
【補正対象書類名】明細書
【補正対象項目名】００１３
【補正方法】変更
【補正の内容】
【００１３】
請求項６に記載の発明によれば、ユーザは、自分が選択した商品の価格の合計額が送料無料金額に達するまでの間、選択済み商品関連情報を確認しながら商品を選択することができる。また、選択済み商品関連情報が第１表示領域から第２表示領域に移動されたことに基づいて、送料無料金額に達したことを認識することができる。
【手続補正８】
【補正対象書類名】明細書
【補正対象項目名】００１４
【補正方法】変更
【補正の内容】
【００１４】
請求項７に記載の発明は、請求項６に記載のサーバ装置であって、前記表示データ生成手段は、前記取引条件を満たさない場合は、前記選択操作により選択された商品の価格の合計額と前記送料無料金額との差額を前記取引画面に表示させ、前記取引条件が満たされた場合には、前記差額を前記取引画面に表示させない前記表示データを生成することを特徴とする。
【手続補正９】
【補正対象書類名】明細書
【補正対象項目名】００１５
【補正方法】変更
【補正の内容】
【００１５】
請求項７に記載の発明によれば、ユーザの選択した商品の価格の合計額が送料無料金額に達するまでの間、送料無料金額に達するまでの残り金額が表示されることから、ユーザは、送料無料金額に達するまで、あと幾ら分、商品を選択すればよいか、容易に把握することができる。
【手続補正１０】
【補正対象書類名】明細書
【補正対象項目名】００１６
【補正方法】変更
【補正の内容】
【００１６】
請求項８に記載の発明は、請求項１乃至請求項５の何れか一項に記載のサーバ装置であって、前記取引条件は、前記選択操作により選択された商品の数が、商品の配送料金を無料とする数として予め定められた送料無料数に達することにより満たされることを特徴とする。
【手続補正１１】
【補正対象書類名】明細書
【補正対象項目名】００１７
【補正方法】変更
【補正の内容】
【００１７】
請求項８に記載の発明によれば、ユーザは、自分が選択した商品の数が送料無料数に達するまでの間、選択済み商品関連情報を確認しながら商品を選択することができる。また、選択済み商品関連情報が第１表示領域から第２表示領域に移動されたことに基づいて、送料無料数に達したことを認識することができる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
請求項９に記載の発明は、請求項２に記載のサーバ装置であって、前記表示データ生成手段は、前記取引条件が満たされた場合には、前記選択済み商品関連情報を表示させるための表示操作を検出することにより前記選択済み商品関連情報を表示可能なようにしつつ、前記取引画面に表示させない前記表示データを生成することを特徴とする。この場合、表示操作をすることでいつでも選択済み商品関連情報を確認することができる。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
請求項１０に記載の発明は、請求項１乃至請求項９の何れか一項に記載のサーバ装置であって、前記選択済み商品関連情報は、前記選択操作により選択された商品の名称、価格、及び当該選択操作により選択された商品の価格の合計額、の少なくとも何れか一つを示す情報であることを特徴とする。
【手続補正２３】
【補正対象書類名】明細書
【補正対象項目名】００２９
【補正方法】変更
【補正の内容】
【００２９】
請求項１０に記載の発明によれば、ユーザは、自分が選択した商品の名称、価格、及び選択した商品の価格の合計額、の少なくとも何れか一つを示す情報を認識することができる。
【手続補正２４】
【補正対象書類名】明細書
【補正対象項目名】００３０
【補正方法】変更
【補正の内容】
【００３０】
請求項１１に記載の発明は、請求項１乃至請求項１０の何れか一項に記載のサーバ装置であって、前記電子商取引サイトは、ネットスーパーサイトであることを特徴とする。
【手続補正２５】
【補正対象書類名】明細書
【補正対象項目名】００３１
【補正方法】変更
【補正の内容】
【００３１】
数万種類にわたる商品を取り扱い、また取扱商品が比較的少額であるネットスーパーサイトにおいては、例えば送料無料となる購入額に達するには、複数の商品を購入しなければならないことが多い。そのため、送料無料までは、選択済み商品関連情報が確認しやすい位置にあることが好ましい。しかしながら、一旦送料無料まで購入額が達してしまった後は、選択済み商品関連情報を確認する必要性は薄れ、むしろ多商品を扱うネットスーパーの商品提示画面を少しでも大きくしたいということが望まれる。そのため、このように、取引条件を満たすことによって選択済み商品関連情報が下方に移動することは、ネットスーパーサイトには好適である。
請求項１２に記載の発明は、ネットワークを介して接続された端末装置に対して、商品の取引に関する電子商取引サイトを提供するサーバ装置であって、前記端末装置に、前記サーバ装置から受信した、複数商品分の前記商品に関する商品情報を表示する取引画面を表示部に表示させる表示制御手段、前記取引画面において表示される商品情報に対応する商品を取引するものとして選択する選択操作を検出する選択操作検出手段、として機能させる指示データを送信し、前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、前記第２表示領域は、前記第１表示領域よりも前記取引画面の下方に位置することを特徴とする。
請求項１２に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させられるとともに、表示領域を有効活用できる。
請求項１３に記載の発明は、ネットワークを介して接続された端末装置に対して、商品の取引に関する電子商取引サイトを提供するサーバ装置であって、前記端末装置に、前記サーバ装置から受信した、複数商品分の前記商品に関する商品情報を表示する取引画面を表示部に表示させる表示制御手段、前記取引画面において表示される商品情報に対応する商品を取引するものとして選択する選択操作を検出する選択操作検出手段、として機能させる指示データを送信し、前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする。
請求項１３に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
請求項１４に記載の発明は、請求項１２に記載のサーバ装置であって、前記第１表示領域は、前記取引画面において表示される商品情報より上方であることを特徴とする。この場合、第１表示領域は商品情報より上方であるため、取引条件を満たさない場合において、選択済み商品関連情報の視認性が向上する。
請求項１５に記載の発明は、請求項１２に記載のサーバ装置であって、前記第１表示領域は、前記取引画面において表示される商品情報と画面の上下方向において重なる部分を有することを特徴とする。この場合、第１表示領域は商品情報と上下方向において重なるため、取引条件を満たさない場合において、選択済み商品関連情報と商品情報を同時に確認するための視認性が向上する。
請求項１６に記載の発明は、請求項１２乃至請求項１５の何れか一項に記載のサーバ装置であって、前記第２表示領域は、前記取引画面において表示される商品情報より下方であることを特徴とする。この場合、取引条件を満たす場合において、第２表示領域は商品情報より下方に位置するため、選択済み商品関連情報が商品情報を大きく又は多く表示する際の妨げにならない。
請求項１７に記載の発明は、請求項１２乃至請求項１６の何れか一項に記載のサーバ装置であって、前記取引条件は、前記選択操作により選択された商品の価格の合計額が、商品の配送料金を無料とする金額として予め定められた送料無料金額に達することにより満たされることを特徴とする。
請求項１７に記載の発明によれば、ユーザは、自分が選択した商品の価格の合計額が送料無料金額に達するまでの間、選択済み商品関連情報を確認しながら商品を選択することができる。また、選択済み商品関連情報の表示態様が変化したことに基づいて、送料無料金額に達したことを認識することができる。
請求項１８に記載の発明は、請求項１７に記載のサーバ装置であって、前記表示制御手段は、前記取引条件を満たさない場合は、前記選択操作により選択された商品の価格の合計額と前記送料無料金額との差額を前記取引画面に表示し、前記取引条件が満たされた場合には、前記差額を前記取引画面に表示しないことを特徴とする。
請求項１８に記載の発明によれば、ユーザの選択した商品の価格の合計額が送料無料金額に達するまでの間、送料無料金額に達するまでの残り金額が表示されることから、ユーザは、送料無料金額に達するまで、あと幾ら分、商品を選択すればよいか、容易に把握することができる。
請求項１９に記載の発明は、請求項１２乃至請求項１６の何れか一項に記載のサーバ装置であって、前記取引条件は、前記選択操作により選択された商品の数が、商品の配送料金を無料とする数として予め定められた送料無料数に達することにより満たされることを特徴とする。
請求項１９に記載の発明によれば、ユーザは、自分が選択した商品の数が送料無料数に達するまでの間、選択済み商品関連情報を確認しながら商品を選択することができる。また、選択済み商品関連情報の表示態様が変化したことに基づいて、送料無料数に達したことを認識することができる。
請求項２０に記載の発明は、請求項１３に記載のサーバ装置であって、前記表示制御手段は、前記取引条件が満たされた場合には、前記選択済み商品関連情報を表示させるための表示操作を検出することにより前記選択済み商品関連情報を表示可能なようにしつつ、前記取引画面に表示させないことを特徴とする。この場合、表示操作をすることでいつでも選択済み商品関連情報を確認することができる。
請求項２１に記載の発明は、請求項１２乃至請求項２０の何れか一項に記載のサーバ装置であって、前記選択済み商品関連情報は、前記選択操作により選択された商品の名称、価格、及び当該選択操作により選択された商品の価格の合計額、の少なくとも何れか一つを示す情報であることを特徴とする。
請求項２１に記載の発明によれば、ユーザは、自分が選択した商品の名称、価格、及び選択した商品の価格の合計額、の少なくとも何れか一つを示す情報を認識することができる。
請求項２２に記載の発明は、請求項１２乃至請求項２１の何れか一項に記載のサーバ装置であって、前記電子商取引サイトは、ネットスーパーサイトであることを特徴とする。
数万種類にわたる商品を取り扱い、また取扱商品が比較的少額であるネットスーパーサイトにおいては、例えば送料無料となる購入額に達するには、複数の商品を購入しなければならないことが多い。そのため、送料無料までは、選択済み商品関連情報が確認しやすい位置にあることが好ましい。しかしながら、一旦送料無料まで購入額が達してしまった後は、選択済み商品関連情報を確認する必要性は薄れ、むしろ多商品を扱うネットスーパーの商品提示画面を少しでも大きくしたいということが望まれる。そのため、このように、取引条件を満たすことによって選択済み商品関連情報が下方に移動したり、非表示となることは、ネットスーパーサイトには好適である。
【手続補正２６】
【補正対象書類名】明細書
【補正対象項目名】００３２
【補正方法】変更
【補正の内容】
【００３２】
請求項２３に記載の発明は、コンピュータを、商品の取引に関する電子商取引サイトを提供するサーバ装置にネットワークを介して接続し、前記商品に関する商品情報を複数の商品分受信する受信手段、前記受信した複数商品分の商品情報を表示する取引画面を表示部に表示させる表示制御手段、前記取引画面において表示される商品情報に対応する商品を取引するものとして選択する選択操作を検出する選択操作検出手段、として機能させる商品情報表示プログラムであって、前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１表示領域とは異なる前記取引画面の第２表示領域に表示させ、前記第２表示領域は、前記第１表示領域よりも前記取引画面の下方に位置することを特徴とする。
【手続補正２７】
【補正対象書類名】明細書
【補正対象項目名】００３３
【補正方法】変更
【補正の内容】
【００３３】
請求項２３に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【手続補正２８】
【補正対象書類名】明細書
【補正対象項目名】００３５
【補正方法】変更
【補正の内容】
【００３５】
請求項２４に記載の発明は、コンピュータを、商品の取引に関する電子商取引サイトを提供するサーバ装置にネットワークを介して接続し、前記商品に関する商品情報を複数の商品分受信する受信手段、前記受信した複数商品分の商品情報を表示する取引画面を表示部に表示させる表示制御手段、前記取引画面において表示される商品情報に対応する商品を取引するものとして選択する選択操作を検出する選択操作検出手段、として機能させる商品情報表示プログラムであって、前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする。
【手続補正２９】
【補正対象書類名】明細書
【補正対象項目名】００３６
【補正方法】変更
【補正の内容】
【００３６】
請求項２４に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【手続補正３０】
【補正対象書類名】明細書
【補正対象項目名】００３８
【補正方法】変更
【補正の内容】
【００３８】
請求項２５に記載の発明は、コンピュータが、商品の取引に関する電子商取引サイトを提供するサーバ装置にネットワークを介して接続し、前記商品に関する商品情報を複数の商品分受信するステップと、前記コンピュータが、前記受信した複数商品分の商品情報を表示する取引画面を表示部に表示させるステップと、前記コンピュータが、前記取引画面において表示される商品情報に対応する商品を取引ものとして選択する選択操作を検出するステップと、前記コンピュータが、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１表示領域とは異なり且つ前記第１表示領域よりも下方に位置する前記取引画面の第２表示領域に表示させるステップと、を含むことを特徴とする。
【手続補正３１】
【補正対象書類名】明細書
【補正対象項目名】００３９
【補正方法】変更
【補正の内容】
【００３９】
請求項２５に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【手続補正３２】
【補正対象書類名】明細書
【補正対象項目名】００４１
【補正方法】変更
【補正の内容】
【００４１】
請求項２６に記載の発明は、コンピュータが、商品の取引に関する電子商取引サイトを提供するサーバ装置にネットワークを介して接続し、前記商品に関する商品情報を複数の商品分受信するステップと、前記コンピュータが、前記受信した複数商品分の商品情報を表示する取引画面を表示部に表示させるステップと、前記コンピュータが、前記取引画面において表示される商品情報に対応する商品を取引するものとして選択する選択操作を検出するステップと、前記コンピュータが、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないステップと、を含むことを特徴とする。
【手続補正３３】
【補正対象書類名】明細書
【補正対象項目名】００４２
【補正方法】変更
【補正の内容】
【００４２】
請求項２６に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【手続補正３４】
【補正対象書類名】明細書
【補正対象項目名】００４４
【補正方法】変更
【補正の内容】
【００４４】
請求項２７に記載の発明は、商品の取引に関する電子商取引サイトを提供するサーバ装置と、前記サーバ装置とネットワークを介して接続される端末装置と、を有する電子商取引システムであって、前記サーバ装置は、複数商品分の前記商品に関する商品情報を表示する取引画面を前記端末装置の表示部に表示させるための表示データを生成する表示データ生成手段と、前記端末装置に対して、前記表示データ生成手段で生成された前記表示データを送信する送信手段と、前記端末装置から、前記取引画面において表示される商品情報に対応する商品のうち取引するものとして選択された商品を識別するための選択商品識別情報を受信する選択商品識別情報受信手段と、を備え、前記端末装置は、前記送信手段から送信された表示データを受信する表示データ受信手段と、前記受信された表示データに基づいて、前記取引画面を表示部に表示させる表示制御手段と、を備え、前記サーバ装置の前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面における第１表示領域に前記選択済み商品関連情報を表示させる前記表示データを生成する一方、前記取引条件が満たされている場合には、前記選択済み商品関連情報を前記第１表示領域とは異なる前記取引画面の第２表示領域に表示させる前記表示データを生成し、前記第２表示領域は、前記第１表示領域よりも前記取引画面の下方に位置することを特徴とする。
【手続補正３５】
【補正対象書類名】明細書
【補正対象項目名】００４５
【補正方法】変更
【補正の内容】
【００４５】
請求項２７に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【手続補正３６】
【補正対象書類名】明細書
【補正対象項目名】００４７
【補正方法】変更
【補正の内容】
【００４７】
請求項２８に記載の発明は、商品の取引に関する電子商取引サイトを提供するサーバ装置と、前記サーバ装置とネットワークを介して接続される端末装置と、を有する電子商取引システムであって、前記サーバ装置は、複数商品分の前記商品に関する商品情報を表示する取引画面を前記端末装置の表示部に表示させるための表示データを生成する表示データ生成手段と、前記端末装置に対して、前記表示データ生成手段で生成された前記表示データを送信する送信手段と、前記端末装置から、前記取引画面において表示される商品情報に対応する商品のうち取引するものとして選択された商品を識別するための選択商品識別情報を受信する選択商品識別情報受信手段と、を備え、前記端末装置は、前記送信手段から送信された表示データを受信する表示データ受信手段と、前記受信された表示データに基づいて、前記取引画面を表示部に表示させる表示制御手段と、を備え、前記サーバ装置の前記表示データ生成手段は、前記選択商品識別情報受信手段により受信された選択商品識別情報に基づいて選択操作された商品を識別し、これら識別された商品に関する商品情報のうち、取引に関係する選択済み商品関連情報を取得して、前記選択された商品のその時点の取引状況が所定の取引条件を満たさない場合は、前記取引画面において前記選択済み商品関連情報を表示させる前記表示データを生成する一方、前記取引条件が満たされている場合には、前記選択済み商品関連情報を前記取引画面に表示させない前記表示データを生成することを特徴とする。
【手続補正３７】
【補正対象書類名】明細書
【補正対象項目名】００４８
【補正方法】変更
【補正の内容】
【００４８】
請求項２８に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【手続補正３８】
【補正対象書類名】明細書
【補正対象項目名】００４９
【補正方法】変更
【補正の内容】
【００４９】
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
請求項２９に記載の発明は、商品の取引に関する電子商取引サイトを提供するサーバ装置と、前記サーバ装置とネットワークを介して接続される端末装置と、を有する電子商取引システムであって、前記サーバ装置は、前記端末装置に、前記サーバ装置から受信した、複数商品分の前記商品に関する商品情報を表示する取引画面を表示部に表示させる表示制御手段、前記取引画面において表示される商品情報に対応する商品を取引するものとして選択する選択操作を検出する選択操作検出手段、として機能させる指示データを送信し、前記端末装置は、前記サーバ装置から受信した指示データに基づいて、前記表示制御手段、前記選択操作検出手段として機能し、前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、前記第２表示領域は、前記第１表示領域よりも前記取引画面の下方に位置することを特徴とする。
請求項２９に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させられるとともに、表示領域を有効活用できる。
請求項３０に記載の発明は、商品の取引に関する電子商取引サイトを提供するサーバ装置と、前記サーバ装置とネットワークを介して接続される端末装置と、を有する電子商取引システムであって、前記サーバ装置は、前記端末装置に、前記サーバ装置から受信した、複数商品分の前記商品に関する商品情報を表示する取引画面を表示部に表示させる表示制御手段、前記取引画面において表示される商品情報に対応する商品を取引するものとして選択する選択操作を検出する選択操作検出手段、として機能させる指示データを送信し、前記端末装置は、前記サーバ装置から受信した指示データに基づいて、前記表示制御手段、前記選択操作検出手段として機能し、前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする。
請求項３０に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
請求項３１に記載の発明は、商品の取引に関する電子商取引サイトを提供するサーバ装置に、ネットワークを介して接続する端末装置であって、前記サーバ装置から、前記商品に関する商品情報を複数商品分受信する受信手段と、前記受信した複数商品分の商品情報を表示する取引画面を表示部に表示させる表示制御手段と、前記取引画面において表示される商品情報に対応する商品を取引するものとして選択する選択操作を検出する選択操作検出手段と、を備え、前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、前記第２表示領域は、前記第１表示領域よりも前記取引画面の下方に位置することを特徴とする。
請求項３１に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させられるとともに、表示領域を有効活用できる。
請求項３２に記載の発明は、商品の取引に関する電子商取引サイトを提供するサーバ装置に、ネットワークを介して接続する端末装置であって、前記サーバ装置から、前記商品に関する商品情報を複数商品分受信する受信手段と、前記受信した複数商品分の商品情報を表示する取引画面を表示部に表示させる表示制御手段と、前記取引画面において表示される商品情報に対応する商品を取引するものとして選択する選択操作を検出する選択操作検出手段と、を備え、前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする。
請求項３２に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
請求項３３に記載の発明は、コンピュータを、商品の取引に関する電子商取引サイトを提供するサーバ装置にネットワークを介して接続し、前記商品に関する商品情報を複数の商品分受信する受信手段、前記受信した複数商品分の商品情報を表示する取引画面を表示部に表示させる表示制御手段、前記取引画面において表示される商品情報に対応する商品を取引するものとして選択する選択操作を検出する選択操作検出手段、として機能させる商品情報表示プログラムであって、前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１表示領域とは異なる前記取引画面の第２表示領域に表示させ、前記第２表示領域は、前記第１表示領域よりも前記取引画面の下方に位置させる商品情報表示プログラムが記録された記録媒体である。
請求項３４に記載の発明は、コンピュータを、商品の取引に関する電子商取引サイトを提供するサーバ装置にネットワークを介して接続し、前記商品に関する商品情報を複数の商品分受信する受信手段、前記受信した複数商品分の商品情報を表示する取引画面を表示部に表示させる表示制御手段、前記取引画面において表示される商品情報に対応する商品を取引するものとして選択する選択操作を検出する選択操作検出手段、として機能させる商品情報表示プログラムであって、前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させない商品情報表示プログラムが記録された記録媒体である。
【手続補正３９】
【補正対象書類名】明細書
【補正対象項目名】００７１
【補正方法】変更
【補正の内容】
【００７１】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、ＣＰＵ１４ａが、ＲＯＭ１４ｂや記憶部１２に記憶された各種プログラムを読み出し実行することにより各種機能を実現する。なお、システム制御部１４は、サーバ装置の「送信手段」、「選択商品識別情報受信手段」の一例である。
【手続補正４０】
【補正対象書類名】明細書
【補正対象項目名】００７９
【補正方法】変更
【補正の内容】
【００７９】
システム制御部３６は、ＣＰＵ（Central Processing Unit）３６ａ、ＲＯＭ（Read Only Memory）３６ｂ、ＲＡＭ（Random Access Memory）３６ｃ等により構成されている。そして、ＣＰＵ３６ａが、ＲＯＭ３６ｂや記憶部３４に記憶された各種プログラムを読み出し実行することにより、各種機能を実現する。なお、システム制御部３６は、端末装置の「受信手段」、「表示制御手段」、「選択操作検出手段」、「表示データ受信手段」の一例である。
【手続補正４１】
【補正対象書類名】明細書
【補正対象項目名】００８６
【補正方法】変更
【補正の内容】
【００８６】
また、図５に示すように、送料無料条件が充足される前の状態における商品一覧画面２００の買い物かご２５０の上方には、条件表示エリア２６０が設けられており、送料無料条件に関する情報が表示されている。具体的には、２０００円から、買い物かごに登録されている商品の販売価格の合計額（図５の例では１２５４円）を引いた額が、２０００円に達するまでに必要な金額として表示される。また、条件表示エリア２６０は、送料無料条件が充足されるまで表示されるが、送料無料条件が充足された後は表示されない（図６参照）。なお、条件表示エリア２６０には、２０００円に達するまでに必要な金額を表示する代わりに、送料無料条件に関する情報として、「２０００円分の商品を選択（購入）すれば送料は無料です。」といったメッセージを表示することとしてもよい。なお、商品一覧画面２００の制御は、システム制御部１４が商品一覧画面用Ｗｅｂページデータに基づいて行う。すなわち、商品一覧画面用Ｗｅｂページデータは、システム制御部１４を「表示制御手段」、「選択操作検出手段」として機能させる「指示データ」の一例である。
【手続補正４２】
【補正対象書類名】明細書
【補正対象項目名】０１２１
【補正方法】変更
【補正の内容】
【０１２１】
更に、図８に示したステップＳ５０１〜ステップＳ５０６の処理について、ユーザ端末２のシステム制御部３６のみで処理を行うかのように上述したが、これらの処理をユーザ端末２のシステム制御部３６と、注文受付サーバ１のシステム制御部１４とで、データをやりとりしながら連携して行うこととしてもよい。具体的には、ユーザ端末２は、買い物かごボタン２１２が押下（クリック）される度に、選択された商品の商品ＩＤ及び注文数量を注文受付サーバ１に送信する。注文受付サーバ１は、通信部１１（「選択商品識別情報受信手段」として機能）で受信した商品ＩＤ及び注文数量（「選択商品識別情報」の一例）に基づいて、買い物かご２５０の表示を更新させるための表示データをシステム制御部１４（「表示データ生成手段」として機能）で生成する。その後、注文受付サーバ１の通信部１１（「送信手段」として機能）は生成された表示データをユーザ端末２に返信する。但し、注文受付サーバ１は、複数回にわたって選択商品識別情報として商品ＩＤを受信し、選択された商品の販売価格の合計が２０００円に達したとシステム制御部１４において判別したときには、折り畳まれた状態の買い物かご２５０を表示させるための表示データ、又は買い物かご２５０を第２表示領域に移動させて表示させるための表示データを通信部１１から返信する。また、ユーザ端末２は、会計ボタン２５１が押下（クリック）されると、会計ボタン２５１が押下（クリック）されたことを示すデータを注文受付サーバ１に送信し、注文受付サーバ１は当該データを受信すると、それまでに受信した商品ＩＤ及び注文数量に基づいて、注文内容確認画面用Ｗｅｂページデータ生成する。なお、これらの処理は、図８に示したステップＳ５０１〜ステップＳ５０６の処理、及び、図９に示したステップＳ２０１〜ステップＳ２０３の処理に対応する。
【手続補正４３】
【補正対象書類名】明細書
【補正対象項目名】発明の名称
【補正方法】変更
【補正の内容】
【発明の名称】サーバ装置、商品情報表示プログラム、商品情報表示方法、電子商取引システム、端末装置及び記録媒体